(57)【要約】【課題】ユーザの操作により、第１の電力状態から第２の電力状態に遷移するときに、光検出部を用いてこの操作を検出する場合でも光検出部が消費する電力が大きくなりにくい受付装置等を提供できる。【解決手段】発光部から発した光が被検出体により反射される際に生じる反射光を受光部で受光することで被検出体の位置を検出する光検出部３１０と、光検出部３１０で検出した検出結果に基づき、自装置の消費電力がより小さい第１の電力状態から消費電力がより大きい第２の電力状態に遷移させるためのユーザの操作を受け付けるホームボタンと、を備え、光検出部３１０は、第１の電力状態では、ホームボタンに対するユーザの操作を検出するために必要な発光部および受光部は動作状態とし、必要でない発光部および受光部は停止状態とする受付装置。【選択図】図３
2018160177.tif 000002
【特許請求の範囲】
【請求項１】
発光部から発した光が被検出体により反射される際に生じる反射光を受光部で受光することで被検出体の位置を検出する光検出部と、
前記光検出部で検出した検出結果に基づき、自装置の消費電力がより小さい第１の電力状態から消費電力がより大きい第２の電力状態に遷移させるためのユーザの操作を受け付ける遷移受付部と、
を備え、
前記光検出部は、前記第１の電力状態では、前記遷移受付部に対するユーザの操作を検出するために必要な前記発光部および前記受光部は動作状態とし、必要でない当該発光部および当該受光部は停止状態とする受付装置。
【請求項２】
画像を表示する表示部をさらに備え、
前記遷移受付部は、前記光検出部に対し前記表示部より遠い位置に設けられることを特徴とする請求項１に記載の受付装置。
【請求項３】
前記遷移受付部は、ユーザが操作対象を認識できる識別表示を有し、
前記光検出部は、前記遷移受付部に対するユーザのタッチの有無を検出することを特徴とする請求項２に記載の受付装置。
【請求項４】
前記光検出部は、前記発光部および前記受光部が直線状に配列し、
前記遷移受付部は、前記発光部および前記受光部が配列する方向に沿って設けられることを特徴とする請求項１に記載の受付装置。
【請求項５】
動作状態となる前記発光部および前記受光部と、停止状態となる当該発光部および当該受光部とは、時間により変更されることを特徴とする請求項４に記載の受付装置。
【請求項６】
発光部から発した光が被検出体により反射される際に生じる反射光を受光部で受光することで被検出体の位置を検出する光検出部と、
前記光検出部で検出した検出結果に基づき、自装置の消費電力がより小さい第１の電力状態から消費電力がより大きい第２の電力状態に遷移させるためのユーザの操作を受け付ける遷移受付部と、
を備え、
前記光検出部は、前記第１の電力状態では、前記遷移受付部上の被検出体への光を発する前記発光部および当該遷移受付部上の被検出体により反射された光を受光する前記受光部は動作状態とし、他は停止状態とする受付装置。
【請求項７】
発光部から発した光が被検出体により反射される際に生じる反射光を受光部で受光することで被検出体の位置を検出する光検出部と、
自装置の消費電力がより小さい第１の電力状態では、当該第１の電力状態から消費電力がより大きい第２の電力状態に遷移させるためのユーザの操作を前記光検出部で検出した検出結果に基づき受け付ける遷移受付部に対するユーザの操作を検出するために必要な前記発光部および前記受光部は動作状態とし、必要でない当該発光部および当該受光部は停止状態とする制御部と、
を備える検出装置。
【発明の詳細な説明】
【技術分野】
【０００１】
本発明は、受付装置、検出装置に関する。
【背景技術】
【０００２】
自装置の動作をさせる情報を入力する入力部として、ボタンやスイッチ等の実体を有するキーであるハードウェアキーや、ソフトウェア制御により表示部に表示されるキーであるソフトウェアキーを、ユーザインタフェースに設ける場合がある。
一方、近年は、光学的に被検出体の位置を検出する光検出部を備え、検出された被検出体の位置によりユーザの入力を受け付けるユーザインタフェースが用いられることがある。
【０００３】
特許文献１には、表示面に対する水平方向及び垂直方向に沿って所定の走査領域内でそれぞれ検出ビームを用いて所定の走査精度で走査する走査部（走査手段）を備え、表示面上の遮光物の位置を遮光された検出ビームの走査位置に対応させて検出する座標位置検出装置であり、走査部は、走査精度の異なる複数の走査モードの切り替えを行う駆動制御部と、遮光物の移動速度を検出する移動速度検出部と、を備え、移動速度検出部により検出された遮光物の移動速度に応じて、複数の走査モードの中から所定の走査モードを選択して走査を行うものが開示されている。
【先行技術文献】
【特許文献】
【０００４】
【特許文献１】特開２００７−６５７６７号公報
【発明の概要】
【発明が解決しようとする課題】
【０００５】
ユーザの操作により、節電状態等の消費電力がより小さい第１の電力状態から通常状態等の消費電力がより大きい第２の電力状態に遷移するときに、光検出部を用いてこの操作を検出する場合がある。
しかしながらこの場合、第１の電力状態においても光検出部を動作させる必要があるため、光検出部が消費する電力が大きくなりやすい問題がある。
本発明は、ユーザの操作により、第１の電力状態から第２の電力状態に遷移するときに、光検出部を用いてこの操作を検出する場合でも光検出部が消費する電力が大きくなりにくい受付装置等を提供することを目的とする。
【課題を解決するための手段】
【０００６】
請求項１に記載の発明は、発光部から発した光が被検出体により反射される際に生じる反射光を受光部で受光することで被検出体の位置を検出する光検出部と、前記光検出部で検出した検出結果に基づき、自装置の消費電力がより小さい第１の電力状態から消費電力がより大きい第２の電力状態に遷移させるためのユーザの操作を受け付ける遷移受付部と、を備え、前記光検出部は、前記第１の電力状態では、前記遷移受付部に対するユーザの操作を検出するために必要な前記発光部および前記受光部は動作状態とし、必要でない当該発光部および当該受光部は停止状態とする受付装置である。
請求項２に記載の発明は、画像を表示する表示部をさらに備え、前記遷移受付部は、前記光検出部に対し前記表示部より遠い位置に設けられることを特徴とする請求項１に記載の受付装置である。
請求項３に記載の発明は、前記遷移受付部は、ユーザが操作対象を認識できる識別表示を有し、前記光検出部は、前記遷移受付部に対するユーザのタッチの有無を検出することを特徴とする請求項２に記載の受付装置である。
請求項４に記載の発明は、前記光検出部は、前記発光部および前記受光部が直線状に配列し、前記遷移受付部は、前記発光部および前記受光部が配列する方向に沿って設けられることを特徴とする請求項１に記載の受付装置である。
請求項５に記載の発明は、動作状態となる前記発光部および前記受光部と、停止状態となる当該発光部および当該受光部とは、時間により変更されることを特徴とする請求項４に記載の受付装置である。
請求項６に記載の発明は、発光部から発した光が被検出体により反射される際に生じる反射光を受光部で受光することで被検出体の位置を検出する光検出部と、前記光検出部で検出した検出結果に基づき、自装置の消費電力がより小さい第１の電力状態から消費電力がより大きい第２の電力状態に遷移させるためのユーザの操作を受け付ける遷移受付部と、を備え、前記光検出部は、前記第１の電力状態では、前記遷移受付部上の被検出体への光を発する前記発光部および当該遷移受付部上の被検出体により反射された光を受光する前記受光部は動作状態とし、他は停止状態とする受付装置である。
請求項７に記載の発明は、発光部から発した光が被検出体により反射される際に生じる反射光を受光部で受光することで被検出体の位置を検出する光検出部と、自装置の消費電力がより小さい第１の電力状態では、当該第１の電力状態から消費電力がより大きい第２の電力状態に遷移させるためのユーザの操作を前記光検出部で検出した検出結果に基づき受け付ける遷移受付部に対するユーザの操作を検出するために必要な前記発光部および前記受光部は動作状態とし、必要でない当該発光部および当該受光部は停止状態とする制御部と、を備える検出装置である。
【発明の効果】
【０００７】
請求項１の発明によれば、ユーザの操作により、第１の電力状態から第２の電力状態に遷移するときに、光検出部を用いてこの操作を検出する場合でも光検出部が消費する電力が大きくなりにくい受付装置が提供できる。
請求項２の発明によれば、光検出部から遠い箇所でも遷移受付部に対するユーザの操作を検出しやすくなる。
請求項３の発明によれば、ユーザが遷移受付部をより容易に認識できるようになる。
請求項４の発明によれば、第１の電力状態から第２の電力状態に遷移するときのユーザの操作がさらに容易になる。
請求項５の発明によれば、光検出部が劣化しにくくなる。
請求項６の発明によれば、ユーザの操作により、第１の電力状態から第２の電力状態に遷移するときに、光検出部を用いてこの操作を検出する場合でも光検出部が消費する電力が大きくなりにくい受付装置が提供できる。
請求項７の発明によれば、ユーザの操作により、第１の電力状態から第２の電力状態に遷移するときに、光検出部を用いてこの操作を検出する場合でも光検出部が消費する電力が大きくなりにくい制御を行なうことができる検出装置が提供できる。
【図面の簡単な説明】
【０００８】
【図１】本実施の形態に係る画像形成装置の外観図である。
【図２】本実施の形態に係る画像形成装置の内部構造を示す図である。
【図３】（ａ）は、ユーザインタフェースの一例を示した図である。（ｂ）は、（ａ）に示したユーザインタフェースのＩＩＩｂ−ＩＩＩｂ断面図である。
【図４】光検出部が被検出体を検出する方法について示した図である。
【図５】表示部に対して行なうユーザの操作の具体例を示した図である。
【図６】第２の検出領域に対して行なうユーザの操作の具体例を示した図である。
【図７】（ａ）〜（ｂ）は、動作状態とする発光部および受光部の位置について示した図である。
【図８】制御装置の機能構成例を示したブロック図である。
【図９】制御装置の動作について示したフローチャートである。
【発明を実施するための形態】
【０００９】
以下、添付図面を参照して、実施の形態について詳細に説明する。
【００１０】
＜画像形成装置１の全体構成の説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また画像形成装置１は、ユーザからの操作入力の受付やユーザに対する各種情報の表示を行なうユーザインタフェース（ＵＩ）３００を備えている。さらに画像形成装置１は、画像形成装置１全体の動作を制御する制御装置５００を備える。
【００１１】
画像読取装置１００は、画像形成装置１の上部に配置され、画像記録装置２００は、画像読取装置１００の下側に配置され、制御装置５００を内蔵している。ユーザインタフェース３００は、画像形成装置１の上部の手前側、つまり画像読取装置１００の後述する画像読取部１１０の手前側に配置されている。
【００１２】
まずは、画像読取装置１００について説明する。
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１３】
次に、画像記録装置２００について説明する。
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１４】
ユーザインタフェース３００は、自装置（画像形成装置１）に対するユーザの指示を受け付ける受付部（受付装置）の一例であり、詳しくは後述するが、光検出部や表示部を備える。そして表示部に表示される画面によりユーザに対し種々の情報を提供するとともに、表示部上をユーザが操作すると、その操作を光検出部が検出する。また表示部外においても、ホームボタン等の操作対象が設けられ、その操作対象をユーザが操作すると、同様にその操作を光検出部が検出する。その結果、画像形成装置１に対しユーザが指示を入力することができる。
【００１５】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線に接続する図示しないパーソナルコンピュータ（ＰＣ）等から印刷のジョブを画像形成装置１に送信することでプリントを行なうことができる。即ち、通信回線を介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線を介して送信できる。あるいはユーザは、原稿の画像データを保存することができる。即ち、原稿の画像データを画像形成装置１内部や通信回線に接続したＰＣに保存できる。
【００１６】
＜画像形成装置１の電力状態の説明＞
画像形成装置１における電力状態は、画像形成装置１の消費電力がより小さい状態で動作する節電モード（第１の電力状態）と、画像形成装置１が通常動作し、消費電力がより大きい通常モード（第２の電力状態）とが設定される。
【００１７】
ここで通常モードでは、上述した画像形成装置１の定着装置が通常の動作を行なう。即ち、定着装置は、通常の定着温度で画像の定着を行なう。
また節電モードは、本実施の形態では、LowpowerモードとSleepモードの２通りの節電状態として設定される。
【００１８】
Lowpowerモードでは、定着装置の温度が通常モードより低い温度として設定される。またSleepモードでは、定着装置の電源をＯＦＦとし、定着装置への電力供給を停止する。
【００１９】
Lowpowerモードでは、通常モードより消費電力が小さくなり、画像形成装置１の節電が図れる。さらにSleepモードでは、Lowpowerモードよりさらに消費電力が小さくなり、画像形成装置１のさらなる節電が図れる。
【００２０】
またLowpowerモードやSleepモードにおいて、定着装置のみならず、画像形成装置１の他の各機構部の電力供給を停止してもよい。例えば、後述する表示部３２０への電力供給を停止し、表示部３２０に表示される画像を消すようにしてもよい。
【００２１】
通常モード、Lowpowerモード、およびSleepモードの切り換えは、制御装置５００により行なわれる。さらに詳しくは、制御装置５００が、ユーザの指示や画像形成装置１の各部の動作状況に応じて、通常モード、Lowpowerモード、およびSleepモードの何れかに画像形成装置１の動作状態を切り換える。そしてこれにより画像形成装置１の電力状態を動作状況に応じてより適したものとし、消費電力を低減する。
【００２２】
例えば、制御装置５００は、通常モードの状態で、画像形成装置１に対し何も操作が行われず予め定められた時間が経過したときは、通常モードからLowpowerモードに切り換える。また制御装置５００は、Lowpowerモードからさらに何も操作が行われず予め定められた時間が経過したときは、LowpowerモードからSleepモードに切り換える。
【００２３】
一方、制御装置５００は、LowpowerモードやSleepモードにおいて、例えば、通信回線を介して印刷のジョブを受信したときは、これらのモードから通常モードに切り換える。
また本実施の形態では、画像形成装置１が、節電モードから通常モードに遷移させるために、手動遷移方式を併せて採用する。
手動遷移方式では、例えば、ユーザインタフェース３００に節電モードから通常モードに遷移させるためのボタンを設け、このボタンをタッチすることで行なう。詳しくは後述するが、このボタンは、ホームボタンである。よってホームボタンは、節電モードから通常モードに遷移させるためユーザの操作を受け付ける遷移受付部として機能する。
【００２４】
＜ユーザインタフェース３００の説明＞
図３（ａ）は、ユーザインタフェース３００の一例を示した図である。また図３（ｂ）は、図３（ａ）に示したユーザインタフェース３００のＩＩＩｂ−ＩＩＩｂ断面図である。
図３（ａ）で図示するように、ユーザインタフェース３００は、光学的に被検出体を検出する光検出部３１０と、画像を表示する表示部３２０とを備える。
【００２５】
光検出部３１０は、例えば、光学センシングバーとも言われ、被検出体の位置を検出する。ユーザがユーザインタフェース３００を操作しようとするときに、例えば、指によりタッチして操作するときは、光検出部３１０は、この指を被検出体として検出する。また光検出部３１０は、ユーザの指以外のものでもユーザインタフェース３００に対しタッチするものであれば、検出することができる。よって被検出体は、例えば、タッチペンなどであってもよい。
【００２６】
図４は、光検出部３１０が被検出体Ｔを検出する方法について示した図である。
図示するように光検出部３１０は、光を発する発光部３１１と、光を受光する受光部３１２とを備える。
発光部３１１は、ＬＥＤ（Light Emitting Diode）等を備え、赤外線等の光を出射する。
受光部３１２は、ＰＤ（Photodiode）等を備え、被検出体Ｔから反射された反射光を受光する。そしてこの反射光に応じた検出信号を出力する。
図示するように、発光部３１１と受光部３１２とは、交互に、かつ直線状に配列する。
【００２７】
この構成において、光検出部３１０は、発光部３１１から発した光が被検出体Ｔにより反射される際に生じる反射光を受光部３１２で受光することで被検出体Ｔの位置を検出することができる。なおこれは、光検出部３１０は、被検出体Ｔの縦横方向の位置である２次元的な位置を検出することができると言うこともできる。つまり被検出体Ｔの図中横方向の位置は、反射光を何れの受光部３１２で検出したかどうかによりわかる。また被検出体Ｔの図中縦方向の位置は、受光部３１２が受光する光の強度によりわかる。即ち、被検出体Ｔが光検出部３１０からより近いほど、受光部３１２で受光する光の強度はより大きくなる。一方、被検出体Ｔが光検出部３１０からより遠いほど、受光部３１２で受光する光の強度はより小さくなる。よって受光部３１２が受光する光の強度により、光検出部３１０と被検出体Ｔとの距離がわかるため、これから被検出体Ｔの図中縦方向の位置がわかる。さらに光検出部３１０は、被検出体Ｔが複数あってもそれぞれの被検出体Ｔを検出することができる。これによりいわゆるマルチタッチの検出を行なうことができる。
【００２８】
また図３（ｂ）に示すように、光検出部３１０は、ユーザインタフェース３００の表示部３２０が設けられる面に対し、突出する突起部３１０ａを有する。この突起部３１０ａには、図４に示した発光部３１１および受光部３１２が配される。発光部３１１から発した光のうちユーザインタフェース３００の表示部３２０が設けられる面に沿って進行するものが、被検出体Ｔに当たると反射されて反射光となる。そして被検出体Ｔからの反射光のうち表示部３２０が設けられる面に沿って進行するものは、受光部３１２により受光される。
【００２９】
表示部３２０は、例えば、液晶パネルであり、画像形成装置１に関する情報を画像としてを表示する。図示するように、表示部３２０は矩形状であり、光検出部３１０は、表示部３２０の一辺に沿って１つ配される。ここでは、光検出部３１０は、表示部３２０の上辺に沿って配される。
【００３０】
本実施の形態では、光検出部３１０で被検出体を検出する検出領域として、第１の検出領域Ｒ１と、第２の検出領域Ｒ２とを設けている。
【００３１】
第１の検出領域Ｒ１は、光検出部３１０により近い位置に設けられ、光検出部３１０により被検出体Ｔの動きを検出するための領域である。
ここで第１の検出領域Ｒ１は、図示するように表示部３２０の領域を含む。よって光検出部３１０は、第１の検出領域Ｒ１において、表示部３２０に表示される画像に対するユーザの操作を検出することができる。
【００３２】
そしてこの場合、光検出部３１０は、表示部３２０上における被検出体Ｔの動きを検出することができるため、第１の検出領域Ｒ１において、表示部３２０に対するユーザの操作として、タッチの有無のみならず、タッチに伴う動作を検出することができる。タッチに伴う動作とは、具体的には、ユーザが表示部３２０上で行なうドラッグ、スワイプ等の操作である。即ち、光検出部３１０が表示部３２０の箇所で被検出体を検出した場合は、表示部３２０中の検出された位置にユーザがタッチしたと判断される。またさらに検出された位置が動いた場合は、ユーザが表示部３２０に対しドラッグ、スワイプ等の操作を行なったと判断される。
【００３３】
図５は、表示部３２０に対して行なうユーザの操作の具体例を示した図である。
ここでは、表示部３２０には、画像形成装置１が備える機能を実行するためのアイコンＩの一覧が画像として表示されている。この画像は、いわゆるホーム画面である。またこのとき表示されているアイコンＩは、予め定められた処理に関連付けられており、選択されることでこの処理が実行される。
【００３４】
図示する例では、表示部３２０には、コピー、ファクス／インターネットファクス、スキャナ（メール送信）、ジョブフロー、どこでもプリント、らくらくファクス、スキャナ（ＰＣ保存）、スキャナ（ボックス保存）、メールのそれぞれの機能を表すアイコンＩが表示されている。
【００３５】
そしてユーザは、目的の機能を利用するためには、何れかのアイコンＩをタッチする操作を行なう。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、後述するスタートボタンをタッチすると、実際のコピー動作が開始される。
【００３６】
またユーザが何れかのアイコンＩをドラッグする操作を行なうと、そのアイコンＩを移動する操作となる。例えば、ユーザが、「らくらくファクス」のアイコンＩを点線で図示した箇所に移動したいときは、このアイコンＩをドラッグすればよい。
【００３７】
また表示部３２０には、画面を縦方向にスクロールさせるためのスクロールバーＳ１と、画面を横方向にスクロールさせるためのスクロールバーＳ２とが表示されている。
この場合、ユーザがスクロールバーＳ１やスクロールバーＳ２に備えられた▲マークをタッチすると、▲マークが示す方向に画面をスクロールさせることができる。またユーザがスクロールバーＳ１に備えられたスクロールボタンＢ１やスクロールバーＳ２に備えられたスクロールボタンＢ２をドラッグすることで移動させると、移動させた方向に画面をスクロールさせることができる。画面をスクロールさせることで、一画面で表示しきれない画面を表示させることができる。
【００３８】
また第２の検出領域Ｒ２は、光検出部３１０に対し第１の検出領域Ｒ１より遠い位置に設けられ、光検出部３１０により被検出体の有無を検出するための領域である。
【００３９】
これにより光検出部３１０は、第２の検出領域Ｒ２において、操作対象に対するユーザのタッチの有無を検出する。一方、光検出部３１０は、第２の検出領域Ｒ２において、ドラッグ、スワイプ等のタッチに伴う動作は検出しない。操作対象は、例えば、第２の検出領域Ｒ２に設けられたボタンである。ただしこのボタンには、ボタンを押下することで、ＯＮ／ＯＦＦを行なう電気的なスイッチとしての機能はない。光検出部３１０が第２の検出領域Ｒ２において、被検出体を検出した場合、検出した位置にあるボタンにユーザがタッチしたと判断される。
【００４０】
図６は、第２の検出領域Ｒ２に対して行なうユーザの操作の具体例を示した図である。
図示する例では、第２の検出領域Ｒ２には、３つのボタンが配置されている。これらのボタンは、左側からスタートボタン、ホームボタン、電源ボタンである。スタートボタンは、画像形成装置１の動作を開始するためのボタンである。またホームボタンは、表示部３２０の画面をホーム画面に遷移させるためのボタンである。そして電源ボタンは、画像形成装置１の電源をＯＮ／ＯＦＦさせるためのボタンである。ここでは、３つのボタンのうちユーザがホームボタンをタッチした場合を示している。
【００４１】
また本実施の形態では、このボタンの位置、またはこのボタンに隣接する位置にユーザが操作対象であるボタンを認識できる識別表示を有する。ここでは、識別表示として、ボタンの範囲を示す枠が印刷されている。また識別表示として、この枠内にボタンの機能を表すマーク（印）が印刷されている。さらに識別表示として、この枠の下にボタンの機能を示す文字が印刷されている。図示する例では、左側からスタートボタン、ホームボタン、電源ボタンであることを意味する枠、マークおよび文字が印刷されている。
【００４２】
なおこれらのボタンにタッチしたと判断する領域は、図示する枠内としてもよいが、この枠内を含む領域としてもよい。即ち、この枠からはみ出す予め定められた範囲についてもこれらのボタンにタッチしたと判断するようにする。図６では、スタートボタンがタッチされたと判断される領域として、領域Ｒ２Ｓを図示している。またホームボタンがタッチされたと判断される領域として、領域Ｒ２Ｈを図示し、電源ボタンがタッチされたと判断される領域として、領域Ｒ２Ｄを図示している。
【００４３】
なおこの識別表示は、印刷であることに限られるものではない。例えば、このボタンの一部を光透過できるようにし、下側からＬＥＤ等を発光させることで、マーク等を光らせるようにしてもよい。また表示部３２０の下辺側にこのボタンの機能を表示するようにしてもよい。さらに上部からマーク等を投影するような方法でもよい。
【００４４】
また本実施の形態では、ホームボタンに画像形成装置１を節電モードから通常モードに遷移させるため、ユーザの操作を受け付ける機能をさらに付与する。つまり画像形成装置１が節電モードの際に、ユーザがホームボタンをタッチすると、光検出部３１０がこれを検出し、その結果、画像形成装置１は、節電モードから通常モードに遷移する。
【００４５】
しかし節電モードの際に、光検出部３１０の機能を全て動作させると、消費電力が増大するため、本実施の形態では、光検出部３１０の機能の一部のみを動作させ、消費電力の低減を図っている。具体的には、光検出部３１０は、節電モードでは、ホームボタン上の被検出体への光を発する発光部３１１およびホームボタン上の被検出体により反射された光を受光する受光部３１２は動作状態とし、他は停止状態とする。つまり光検出部３１０は、節電モードでは、ホームボタンに対するユーザの操作を検出するために必要な発光部３１１および受光部３１２は動作状態とし、必要でない発光部３１１および受光部３１２は停止状態とする。
なお通常モードでは、発光部３１１および受光部３１２を全て動作状態とする。
【００４６】
図７（ａ）〜（ｂ）は、動作状態とする発光部３１１および受光部３１２の位置について示した図である。
図７（ａ）は、上述した場合について動作状態とする発光部３１１および受光部３１２（図４参照）の位置について示した図である。
図示するように、光検出部３１０に直線状に配列する発光部３１１および受光部３１２のうち、ホームボタンの図中直上の箇所である中央部付近の位置Ｈ１に配された発光部３１１および受光部３１２は動作状態とし、それ以外の両端部のものは停止状態とする。
【００４７】
また動作状態とする発光部３１１および受光部３１２の位置は、固定であるとは限らず、変化させてもよい。例えば、位置Ｈ１に配された発光部３１１および受光部３１２の全てを動作状態とせず、発光部３１１および受光部３１２の組を予め定められたブロックに分け、ブロック単位で動作状態と停止状態とを繰り返すようにしてもよい。１つのブロックに属する発光部３１１および受光部３１２の組は、１つでもよく、複数であってもよい。具体的には、例えば、隣り合う１個の発光部３１１および１個の受光部３１２を１つの組とする。そして１回目には、この組について３つおきに動作状態とし、その間の組は停止状態とする。次に２回目には、１回目に動作状態とした組を停止状態とし、隣の組を動作状態とする。さらに３回目には、２回目に動作状態とした組を停止状態とし、さらに隣の組を動作状態とする。また次は最初の１回目の状態に戻るようにする。これによりブロック単位で動作状態と停止状態とを繰り返すようにすることができる。
【００４８】
また動作状態と停止状態を繰り返す発光部３１１および受光部３１２の位置は、位置Ｈ１に固定しなくてもよい。
図７（ｂ）は、動作状態とする発光部３１１および受光部３１２の位置が位置Ｈ１以外に変化する場合を示した図である。
【００４９】
ここでは、画像形成装置１を節電モードから通常モードに遷移させるためユーザの操作を受け付ける遷移受付部を、スタートボタン、ホームボタンおよび電源ボタンの全てとしている。つまり遷移受付部は、発光部３１１および受光部３１２が配列する方向（この場合、図中横方向）に沿って設けられる。そして位置Ｈ１のみならず、スタートボタンの図中直上の箇所である左端部付近の位置Ｈ２に配された発光部３１１および受光部３１２、および電源ボタンの図中直上の箇所である右端部付近の位置Ｈ３に配された発光部３１１および受光部３１２についても動作対象となる。ただし、動作状態とする発光部３１１および受光部３１２は、時間により変更され、位置Ｈ１、位置Ｈ２、位置Ｈ３に属する発光部３１１および受光部３１２は、交互に動作状態とし、他は、停止状態とする。即ち、動作状態となる発光部３１１および受光部３１２と、停止状態となる発光部３１１および受光部３１２とは、時間により変更される。よって動作状態とする発光部３１１および受光部３１２の位置は変化する。変更する時間間隔を短くすれば、ユーザがスタートボタン、ホームボタンおよび電源ボタンの何れにタッチしても光検出部３１０は、これを検出することができる。また動作状態となる発光部３１１および受光部３１２の偏りがなくなるため、特定の発光部３１１および受光部３１２が劣化することを抑制できる。
【００５０】
なお動作状態および停止状態とする発光部３１１および受光部３１２は、予め定めておいてもよく、ユーザが設定できるようにしてもよい。
【００５１】
＜制御装置５００の説明＞
図８は、制御装置５００の機能構成例を示したブロック図である。なお図８では、制御装置５００が有する種々の機能のうち本実施の形態に関係するものを選択して図示している。
制御装置５００は、ユーザインタフェース３００を含む画像形成装置１の動作を制御する制御部の一例である。
図示するように本実施の形態の制御装置５００は、検出信号取得部５１０と、位置検出部５２０と、遷移判断部５３０と、遷移制御部５４０と、動作状態決定部５５０とを備える。
【００５２】
検出信号取得部５１０は、光検出部３１０から検出信号を取得する。この検出信号には、被検出体からの反射光を受光した受光部３１２の位置や、受光部３１２が受光した光の強度の情報が含まれる。
【００５３】
位置検出部５２０は、検出信号取得部５１０が取得した検出信号を基に、被検出体の位置を求める。これは図４で説明したように、何れの受光部３１２で検出したかの情報と、受光部３１２が受光する光の強度により求めることができる。
【００５４】
遷移判断部５３０は、位置検出部５２０が求めた位置を基に、節電モードから通常モードに遷移するか否かを判断する。即ち、遷移判断部５３０は、上述したように、位置検出部５２０が求めた位置により、ホームボタン等の遷移受付部がタッチされたと判断した場合、節電モードから通常モードに遷移することを決定する。
【００５５】
遷移制御部５４０は、ユーザの指示や画像形成装置１の各部の動作状況に応じて、通常モードおよび節電モード（Lowpowerモード、およびSleepモード）の何れかに画像形成装置１の動作状態を切り換える。また遷移判断部５３０が節電モードから通常モードに遷移することを決定した場合、遷移制御部５４０は、画像形成装置１を制御する制御信号を出力し、節電モードから通常モードに遷移させる。具体的には、定着装置の温度を通常の定着温度にまで上昇させる。また節電モードにおいて、電力供給を停止していた画像形成装置１の各機構部の電力供給を再開し、動作させる。また発光部３１１および受光部３１２を全て動作状態とする。
【００５６】
動作状態決定部５５０は、動作状態および停止状態とする発光部３１１および受光部３１２の決定を行なう。つまり節電モードでは、動作状態および停止状態とする発光部３１１および受光部３１２の選択を行なう。また通常モードでは、動作状態とする発光部３１１および受光部３１２を全てとし、停止状態とする発光部３１１および受光部３１２はないようにする。
【００５７】
図９は、制御装置５００の動作について示したフローチャートである。
なお以下に説明する制御装置５００の動作は、画像形成装置１を節電モードから通常モードに遷移する際の動作について示した図である。
【００５８】
まず遷移制御部５４０は、節電モードでは、ホームボタン等の遷移受付部に対するユーザの操作を検出するために必要な発光部３１１および受光部３１２は動作状態とし、必要でない発光部３１１および受光部３１２は停止状態とする（ステップ１０１）。動作状態および停止状態とする発光部３１１および受光部３１２は、動作状態決定部５５０が選択を行なう。
【００５９】
そしてこの状態において、検出信号取得部５１０が、光検出部３１０から検出信号を取得したか否かを判断する（ステップ１０２）。
その結果、光検出部３１０から検出信号を取得していない場合（ステップ１０２でＮｏ）、ステップ１０２に戻る。
対して光検出部３１０から検出信号を取得した場合（ステップ１０２でＹｅｓ）、位置検出部５２０が、この検出信号を基に、被検出体の位置を求める（ステップ１０３）。
【００６０】
さらに遷移判断部５３０は、位置検出部５２０が求めた被検出体の位置を基に、節電モードから通常モードに遷移するか否かを判断する（ステップ１０４）。即ち、遷移判断部５３０は、ホームボタン等の遷移受付部がタッチされたときに節電モードから通常モードに遷移することを決定する。対して遷移判断部５３０は、遷移受付部以外の箇所がタッチされたときには、節電モードから通常モードに遷移しないことを決定する。
【００６１】
その結果、節電モードから通常モードに遷移すると決定した場合（ステップ１０４でＹｅｓ）、遷移制御部５４０が、画像形成装置１を制御し、節電モードから通常モードに遷移させる（ステップ１０５）。なおこのとき動作状態決定部５５０は、動作状態とする発光部３１１および受光部３１２を全てとする。
対して節電モードから通常モードに遷移しないと決定した場合（ステップ１０４でＮｏ）、ステップ１０２に戻る。
【００６２】
以上説明した形態によれば、ユーザの操作により、消費電力がより小さい節電モードから消費電力がより大きい通常モードに遷移するときに、光検出部３１０を用いてこの操作を検出する場合でも光検出部３１０が消費する電力が大きくなりにくくなる。
【００６３】
なお上述した例では、画像形成装置１を例に取り説明を行なったが、これに限られるものではなく、光検出部３１０を使用して被検出体の検出を行なう装置であれば、適用が可能である。
【００６４】
また上述した例では、画像形成装置１は、光検出部３１０と制御装置５００とを備える検出装置として捉えることができるが、制御装置５００の機能を光検出部３１０やユーザインタフェース３００に内蔵させてもよい。この場合、光検出部３１０やユーザインタフェース３００が検出装置となる。
【００６５】
さらに上述した例では、第１の検出領域Ｒ１や第２の検出領域Ｒ２に対しタッチする場合を説明したが、単なるタッチのみならず、長押し（ロングタッチ）を検出してもよい。この場合、ユーザがタッチした位置において被検出体が予め定められた時間より長く移動しなかったときに、長押し（ロングタッチ）であると判断できる。
【符号の説明】
【００６６】
１…画像形成装置、２０…画像形成部、１００…画像読取装置、２００…画像記録装置、３００…ユーザインタフェース、３１０…光検出部、３２０…表示部、５００…制御装置、５１０…検出信号取得部、５２０…位置検出部、５３０…遷移判断部、５４０…遷移制御部、５５０…動作状態決定部、Ｒ１…第１の検出領域、Ｒ２…第２の検出領域
【図１】
2018160177.tif 000003
【図２】
2018160177.tif 000004
【図３】
2018160177.tif 000005
【図４】
2018160177.tif 000006
【図５】
2018160177.tif 000007
【図６】
2018160177.tif 000008
【図７】
2018160177.tif 000009
【図８】
2018160177.tif 000010
【図９】
2018160177.tif 000011